(57)【要約】【課題】切りタイマ終了後も室内の空調負荷に応じて運転を行うようにすることで、省エネ性の向上と、利用者に快適な空調を提供する。【解決手段】人体付近温検出手段４と、空気調和機の吸込温度を検知する吸込温度検出手段５と、目標室温を設定する温度設定手段６と、設定温度と吸い込み温度の差温を判定する差温判定手段３と、切りタイマ時刻に空気調和機の運転を停止する切りタイマ手段１と、人体の活動量を検出する活動量検出手段８を備え、切タイマ動作後に人体付近の温度、人体の活動量、屋外温度、屋内温度の状況により、空気調和機を運転もしくは停止させるようにしたものである。これによって、空調負荷が大きいときには追加で運転をおこない、利用者が不快感なく就寝でき、また空調負荷が小さいときには余分な運転をせず無駄なエネルギーの消費を防止可能となる。【選択図】図１
2009168262.tif 000002
【特許請求の範囲】
【請求項１】
人体付近の温度を検出する人体付近温検出手段と、空気調和機の吸込温度を検知する吸込温度検出手段と、空気調和機の制御目標室温を設定する温度設定手段と、運転時間をタイマ設定値と比較しタイマ設定値に達した時に空気調和機の運転を停止する切りタイマ手段と、切りタイマ動作終了前の前記吸込温度と前記制御目標室温の差温が一定時間所定値以上かどうかを判定する差温判定手段と、人体の活動量を検出する活動量センサと、前記差温判定手段の判定結果において前記差温が一定時間所定値以上又は切りタイマ時刻から一定時間活動量が所定値以上の場合、切りタイマ動作終了後の運転モードとして少なくとも第一の所定時間、空気調和機を運転させる制御手段を有することを特徴とする空気調和機。
【請求項２】
切タイマ動作終了後の運転モードは、切タイマ動作終了後室温と設定温度の差温が所定値以上又は切りタイマ時刻から一定時間活動量が所定値以上に達した場合、第１の所定時間空気調和機を運転する動作を第１の所定回数繰り返すことを特徴とする請求項１記載の空気調和機。
【請求項３】
切タイマ動作終了後の運転モードは、設定温度を切タイマ動作前より圧縮機が停止し易い方向に所定値シフトすることを特徴とする請求項１〜２のいずれか１項記載の空気調和機。
【請求項４】
切タイマ動作終了後の運転モードは、室内ファンの風量を切タイマ動作前より小さくすることを特徴とする請求項１〜２のいずれか１項記載の空気調和機。
【請求項５】
切タイマ動作終了後の運転モードは、設定温度を切タイマ動作前より圧縮機が停止し易い方向に外気温度に応じてシフトすることを特徴とする請求項１〜２のいずれか１項記載の空気調和機。
【請求項６】
切タイマ動作終了後の運転モードは、室内ファンの風量を切タイマ動作前より外気温度に応じて小さく変化させることを特徴とする請求項１〜２のいずれか１項記載の空気調和機。
【発明の詳細な説明】
【技術分野】
【０００１】
本発明は切りタイマ機能を有する空気調和機の快適制御に関するものである。
【背景技術】
【０００２】
従来、この種の技術は切りタイマが終了しても一定時間強制的に運転し、その後ドライ或いは送風運転を更に一定時間継続する制御としている（例えば、特許文献１参照）。
【特許文献１】特開昭５５−１０２８５２号公報
【発明の開示】
【発明が解決しようとする課題】
【０００３】
しかしながら、前記従来の構成では切りタイマ終了後も必ず一定時間タイマ終了前の運転を継続し、更にその後、冷房或いは送風運転を一定時間実施する構成なので、室内の空調負荷が低下し空気調和機の運転が不要になったにも係わらず空気調和機が運転を継続するため、近年話題となっている省エネ性の観点において、又利用者に風を当て続けるため健康上の問題において課題を有していた。
【０００４】
本発明は、前記従来の課題を解決するもので、切りタイマ終了後も室内の空調負荷に応じて運転を行うようにすることで、省エネ性の向上と利用者に快適な空調を提供することを目的とする。
【課題を解決するための手段】
【０００５】
前記従来の課題を解決するために、本発明の空気調和機は、人体付近の温度を検出する人体付近温検出手段と、空気調和機の吸込温度を検知する吸込温度検出手段と、空気調和機の制御目標室温を設定する温度設定手段と、運転時間をタイマ設定値と比較しタイマ設定値に達した時に空気調和機の運転を停止する切りタイマ手段と、切りタイマ動作終了前の前記吸込温度と前記制御目標室温の差温が一定時間所定値以上かどうかを判定する差温判定手段と、人体の活動量を検出する活動量センサと、前記差温判定手段の判定結果において前記差温が一定時間所定値以上、又は切りタイマ時刻から一定時間活動量が所定値以上の場合、切りタイマ動作終了後の運転モードとして少なくとも第一の所定時間、空気調和機を運転させる制御手段を設けたものである。
【０００６】
これによって、切りタイマ動作後に空調負荷が大きい場合は追加で運転をおこなうため、利用者が不快感なく就寝できる。また運転は最小限とするため余分な運転をせず、無駄なエネルギーの消費を防止可能となる。
【発明の効果】
【０００７】
本発明の空気調和機は、切りタイマ動作後に空調負荷が大きい場合は追加で運転をおこなうため、利用者が不快感なく就寝できる。また運転は最小限とするため余分な運転をせず、無駄なエネルギーの消費を防止できる。
【発明を実施するための最良の形態】
【０００８】
第１の発明は、人体付近の温度を検出する人体付近温検出手段と、空気調和機の吸込温度を検知する吸込温度検出手段と、空気調和機の制御目標室温を設定する温度設定手段と、運転時間をタイマ設定値と比較しタイマ設定値に達した時に空気調和機の運転を停止する切りタイマ手段と、切りタイマ動作終了前の前記吸込温度と前記制御目標室温の差温が一定時間所定値以上かどうかを判定する差温判定手段と、人体の活動量を検出する活動量センサと、前記差温判定手段の判定結果において前記差温が一定時間所定値以上の場合、
切りタイマ動作終了後の運転モードとして少なくとも第一の所定時間、空気調和機を運転させるようにしたものである。
【０００９】
これによって、切りタイマ動作後に空調負荷が大きい場合は追加で運転をおこなうため、利用者が不快感なく就寝できる。また運転は最小限とするため余分な運転をせず、無駄なエネルギーの消費を防止可能となる。
【００１０】
第２の発明は、切タイマ動作終了後、室温と設定温度の差温が所定値以上、又は切りタイマ時刻から一定時間活動量が所定値以上に達した場合は第１の所定時間空気調和機を運転し、その後空気調和機が停止した後も室温が設定温度に達した場合は再度空気調和機を運転するという動作を第１の所定回数繰り返すようにしたものである。
【００１１】
これによって、切りタイマ終了後室温が上昇し設定温度との間に所定値の差温が発生した場合、空気調和機を所定時間，所定回数運転させるためより快適な睡眠を提供できる。
【００１２】
第３の発明は、切タイマ動作終了後の空気調和機の運転において、設定温度を切タイマ動作前より圧縮機が停止し易い方向に所定値シフトするようにしたものである。
【００１３】
これによって、空調能力を低めに抑えることで冷やしすぎ、暖めすぎに伴うエネルギーの無駄使いや利用者の健康阻害を防止できる。
【００１４】
第４の発明は、切タイマ動作終了後の空気調和機の運転において、室内ファンの風量を切タイマ動作前より小さくするようにしたものである。
【００１５】
これによって、利用者が睡眠時において強風に当たることを防止できる。
【００１６】
第５の発明は、切タイマ動作終了後の空気調和機の運転において、設定温度を切タイマ動作前より圧縮機が停止し易い方向に外気温度に応じてシフトするようにしたものである。
【００１７】
これによって、空調負荷に応じて空調能力を低めに抑えることで冷やしすぎ、暖めすぎに伴うエネルギーの無駄使いや利用者の健康阻害を防止できる。
【００１８】
第６の発明は、切タイマ動作終了後の空気調和機の運転において、室内ファンの風量を切タイマ動作前より外気温度に応じて小さくするようにしたものである。
【００１９】
これによって、空調負荷に応じた風量にて運転するため、利用者が睡眠中に低負荷時において強風に当たることを防止できる。
【００２０】
以下、本発明の実施の形態について、図面を参照しながら説明する。なお、この実施の形態によって本発明が限定されるものではない。
【００２１】
（実施の形態１）
図１は、本発明の実施の形態１における空気調和機の制御ブロック図を示すものである。
【００２２】
図１において、切タイマ手段１はタイマ設定値と運転時間の比較を常に行いタイマ設定時刻に達した場合制御手段７に空気調和機の停止信号を送信する。また、タイマ設定時刻に到達するまでの一定時間吸込温度と設定温度の差温を差温判定手段３により監視する。停止信号の受信後にこの差温が一定時間所定値以上、又は人体の活動量が一定時間所定値
以上を継続していた場合、外気温度検出手段２、人体付近温検出手段４、吸込温度検出手段５の各検出値、設定温度手段６の設定値に従って空気調和機の運転あるいは停止を決定する。
【００２３】
以上のように構成された空気調和機について、以下その動作、作用を説明する。
【００２４】
図２は本発明の実施の形態１における空気調和機の動作を示すフローチャートで、ステップ１、ステップ２にて切タイマ時間の判定を実施する。切タイマ時間に達した場合はステップ３でエアコンを停止させる。ステップ４では切りタイマ時刻までの設定温度と吸込温度の差温が一定時間所定値以上かどうかの判定をおこなう。差温が一定時間所定値以上であった場合、又はステップ５で切りタイマ時刻からの人体の活動量が一定時間所定値以上であった場合はステップ６〜ステップ８で所定時間エアコンを運転させる。またステップ４で差温が一定時間所定値以上でなかった場合、かつステップ５で活動量が一定時間所定値以上でなかった場合はエアコンは停止したままとなる。
【００２５】
以上のように、本実施の形態においては切タイマ動作終了後の空気調和機の運転モードを切りタイマ動作終了前の吸込温度と設定温度の差温状態、及び切りタイマ時刻からの活動量とにより空気調和気を運転するかどうかを判定し、運転させる場合においても所定時間運転に限定させている。
【００２６】
これによって、切りタイマ動作後に空調負荷が大きい場合は追加で運転をおこなうため、利用者が不快感なく就寝できる。また運転は最小限とするため余分な運転をせず、無駄なエネルギーの消費を防止可能となる。
【００２７】
（実施の形態２）
図３は、本発明の実施の形態２における空気調和機の動作を示すフローチャートである。
【００２８】
ステップ１〜ステップ５は実施の形態１と同じのため説明を省略する。ステップ９において実施カウンタの確認を行う、このカウンタは所定の処理を実施したときにカウントするカウンタで通常はクリアされている。ステップ１０では吸込温度と設定温度の差温が所定値以上かどうかの判定をおこない。所定値以上であればステップ６〜ステップ８でエアコンを一定時間運転させている。ステップ１１では実施カウンタのカウント処理をおこない、ステップ９で実施カウンタの判定をおこない所定回数エアコンを一定時間運転させる動作がおこなわれた場合は本処理を終了しエアコンは停止継続となる。
【００２９】
以上のように、本実施の形態においては切タイマ動作終了後の空気調和機の運転モードを、切りタイマ動作終了後室温が設定温度に達した場合は、第１の所定時間空気調和機を運転させるという動作を所定回繰り返すことにより、切りタイマ終了後室温が上昇し設定温度に達した場合は、空気調和機を所定時間，所定回数運転させるためより快適な睡眠を提供できる。
【００３０】
（実施の形態３）
図４は、本発明の実施の形態３における空気調和機の動作を示すフローチャートである。
【００３１】
図３のフローチャートと同様の箇所は説明を省略する。ステップ１２では実施フラグの判定、ステップ１５では実施フラグのセットをおこないエアコンの運転処理は１回のみ実施するようにしている。ステップ１４において設定温度を圧縮機が停止し易い方向にシフトさせている。
【００３２】
以上のように、本実施の形態においては切タイマ動作終了後の空気調和機の運転モードを、切タイマ動作前より圧縮機が停止し易い方向に設定温度を所定値シフトするようにしたことで、空調能力を低めに抑えることで冷やしすぎ、暖めすぎに伴うエネルギーの無駄使いや利用者の健康阻害を防止できる。
【００３３】
（実施の形態４）
図５は、本発明の実施の形態４における空気調和機の動作を示すフローチャートである。図４のフローチャートと同様の箇所は説明を省略する。ステップ１６において室内ファンをＬｏ設定にしている。
【００３４】
以上のように、本実施の形態においては切タイマ動作終了後の空気調和機の運転モードを、切タイマ動作前より室内ファンの風量を小さくするようにしたことで、利用者が睡眠時において強風に当たることを防止できる。
【００３５】
（実施の形態５）
図６は、本発明の実施の形態５における空気調和機の動作を示すフローチャートである。図５のフローチャートと同様の箇所は説明を省略する。ステップ１７において外気温度が高いか低いかの判定を行う。外気温度が高い場合はステップ１８において設定温度シフトを小さくし、低い場合はステップ１９で設定温度シフトを大きくしている。これは冷房運転時の動作を示したもので、暖房運転時は外気温度が高い場合は設定温度シフトを大きくし、低い場合は設定温度シフトを小さくする。
【００３６】
以上のように、本実施の形態においては切タイマ動作終了後の空気調和機の運転モードを、設定温度を切タイマ動作前より圧縮機が停止し易い方向に外気温度に応じてシフトするようにしたことで、空調負荷に応じて空調能力を低めに抑えることで冷やしすぎ、暖めすぎに伴うエネルギーの無駄使いや利用者の健康阻害を防止できる。
【００３７】
（実施の形態６）
図７は、本発明の実施の形態７における空気調和機の動作を示すフローチャートである。図６のフローチャートと同様の箇所は説明を省略する。ステップ１７において外気温度が高いか低いかの判定を行う。外気温度が高い場合はステップ２０において室内ファン速をＭｅとし、低い場合はステップ２１で室内ファン速をＬｏとしている。
【００３８】
以上のように、本実施の形態においては切タイマ動作終了後の空気調和機の運転モードを、室内ファンの風量を切タイマ動作前より外気温度に応じて小さくするようにしたことで、空調負荷に応じた風量にて運転するため、利用者が睡眠中に低負荷時において強風に当たることを防止できる。
【産業上の利用可能性】
【００３９】
以上のように、本発明にかかる空気調和機は、空調負荷が大きいときには追加で運転をおこない、利用者が不快感なく就寝できる。また空調負荷が小さいときには必要最小限の運転を行うことで利用者に不快感を与えることなく、余分な運転をせず無駄なエネルギーの消費を防止できるので、切りタイマ機能を有する空気調和機の快適制御の用途に有用である。
【図面の簡単な説明】
【００４０】
【図１】本発明の実施の形態１における空気調和機の制御ブロック図
【図２】本発明の実施の形態１における空気調和機の動作を示すフローチャート
【図３】本発明の実施の形態２における空気調和機の動作を示すフローチャート
【図４】本発明の実施の形態３における空気調和機の動作を示すフローチャート
【図５】本発明の実施の形態４における空気調和機の動作を示すフローチャート
【図６】本発明の実施の形態５における空気調和機の動作を示すフローチャート
【図７】本発明の実施の形態６における空気調和機の動作を示すフローチャート
【符号の説明】
【００４１】
１  切りタイマ手段
２  外気温度検出手段
３  差温判定手段
４  人体付近温度検出手段
５  吸い込み温度検出手段
６  温度設定手段
７  制御手段
８  活動量検出手段
【図１】
2009168262.tif 000003
【図２】
2009168262.tif 000004
【図３】
2009168262.tif 000005
【図４】
2009168262.tif 000006
【図５】
2009168262.tif 000007
【図６】
2009168262.tif 000008
【図７】
2009168262.tif 000009